(57)【要約】      （修正有）【課題】複雑な構造の高価な醤油入れ容器を不要とし、植毛部が無く多くのタレ醤油を吸い込む事が無く、ハンドリングが極めてよく、小さな子供や老人にも利用でき、目視できる適量の醤油をそのまま寿司ネタに付けることができ、臭い付きの醤油を残こすこともなく、再利用の際は簡単に水洗いすればよい寿司用タレ付けスプーンを提供する。【解決手段】寿司専用のタレ醤油付けスプーンであって、柄１０１の先部をタレ醤油掬い部１０２とし、このタレ醤油掬い部に、細孔１０３、網目、ストレートや波型の細スリット、細フォークのいずれか一つ以上を複数個形成した。【選択図】図１
0003225630.tif 000002
【実用新案登録請求の範囲】
【請求項１】
寿司専用のタレ醤油塗り具であって、柄の先部にタレ醤油掬い部を設け、このタレ醤油掬い部に細孔、網目、細スリット、細フォークのいずれか一つ以上を複数個形成したことを特徴とする寿司用タレ付けスプーン。
【考案の詳細な説明】
【技術分野】
【０００１】  本考案は寿司専用でタレ醤油を寿司ネタに付ける「寿司用タレ付けスプーン」に関する。
【背景技術】
【０００２】  従来、握り寿司や巻き寿司等を食べる際には、主に手で寿司を直接、掴んで食べたり、箸を使ったりしている。しかし、寿司ネタに醤油を付ける場合、寿司を箸を使ったり或いは手で直接持って寿司を持ち上げて裏返したままで付けているが醤油の過不足があり思うようにいかない。また手を捻って寿司を裏返しするため慣れないせいか寿司飯と寿司ネタがバラバラになってしまうことが多い。【０００３】  これらを改善するための考案として、タレ醤油を寿司に塗りつけるために容器先端に単に刷毛を設けたタレ醤油入れはあるが、タレ醤油を塗りつけるとき、タレ醤油入れ本体の角度、あるいは本体内のタレ醤油残量、また室温にともなう空気圧の上昇により、タレ醤油を出しぎたりして、適度の量のタレ醤油を塗るのが困難である。また寿司ネタに醤油を付けた後は寿司ネタの臭い付きの醤油が刷毛に残り、甚だ不衛生である。【０００４】  また他の案として特許文献１及び特許文献２にて紹介されている。
特許文献１には図７に示すように、寿司ネタにタレ醤油を塗るために柄の先に植毛した植毛刷毛付の寿司挟み具が紹介されている。
しかしこの植毛刷毛は植毛部に多くのタレ醤油を吸い込む嫌いがありまた寿司ネタに醤油を付けた後は植毛部に寿司ネタの臭い付きの醤油が残り、そのままの再利用はできないため水洗い等の後処理が大変である。本例の刷毛は使い捨てにする場合が多い。【０００５】  また、特許文献２には、図８に示すように、醤油入れの蓋をする頂部に、タレ醤油を一時溜めてタレ醤油の流量を調節するためのタレ醤油一時溜まり部を設け、この溜まり部の出口に寿司にタレ醤油を塗るための植毛刷毛を付設して、過剰なタレ醤油の透過流出を回避して適量のタレ醤油を寿司に塗ることを可能にしたとする技術が紹介されている。
しかしこの案も複雑な構造の高価な醤油入れ容器であり、且つ蓋を取って醤油入れ容器自体を持ち寿司ネタに該植毛刷毛をこすり付けるなどハンドリングが悪く、小さな子供や老人には不向きである。またタレ醤油一時溜まり部からのタレ醤油は、寿司を一個一個食べるごとに小出しするが、これは大勢の人が使用するため甚だ不衛生的である。
【先行技術文献】
【特許文献】
【０００６】
【特許文献１】特開２００５−５２２５６号公報
【特許文献２】特開２００８−８６７３４号公報
【考案の概要】
【考案が解決しようとする課題】
【０００７】  本考案は、複雑な構造の高価な醤油入れ容器を不要とし、植毛部が必要無く、必要以上に多くのタレ醤油を吸い込む事が無く、しかもハンドリングが極めてよく、小さな子供や老人にも利用でき、寿司ネタに目視できる適量のタレ醤油をそのまま寿司ネタに付けることができ、臭い付きの醤油を残こすこともなく清潔でしかも、再利用の際は簡単に水洗いすればよい寿司用タレ付けスプーンを提供する。
【課題を解決するための手段】
【０００８】  本考案は、前記課題を解決する技術的手段として次の（１）〜（２）を特徴とするものである。
（１）、寿司専用のタレ醤油塗り具であって、柄の先部にタレ醤油掬い部を設け、このタレ醤油掬い部に、細孔、網目、細スリット、細フォークのいずれか一つ以上を複数個形成したことを特徴とする寿司用タレ付けスプーン。
【考案の効果】
【０００９】  本考案の寿司用タレ付けスプーンは、複雑な構造の高価な醤油入れ容器を不要とし、植毛部が必要無く、必要以上に多くのタレ醤油を吸い込む事が無く、しかもハンドリングが極めてよく、小さな子供や老人にも利用でき、寿司ネタに目視できる適量のタレ醤油をそのまま寿司ネタに付けることができ、臭い付きの醤油を残こすこともなく清潔でしかも、再利用の際は簡単に水洗いすればよい寿司用タレ付けスプーンである。
【図面の簡単な説明】
【００１０】
【図１】本考案の実施例１を示す説明図であり、（１）は（２）の矢視Ａ−Ａからの断面側面図であり、（２）は（１）の平面図である。
【図２】本考案の実施例２を示す説明図であり、（１）は（２）の矢視Ｂ−Ｂからの断面側面図であり、（２）は（１）の平面図である。
【図３】本考案の実施例３を示す説明図であり、（１）は（２）の矢視Ｃ−Ｃからの断面側面図であり、（２）は（１）の平面図である。
【図４】本考案の実施例４を示す説明図であり、（１）は（２）の矢視Ｄ−Ｄからの断面側面図であり、（２）は（１）の平面図である。
【図５】（１）〜（７）は本考案の実施例における寿司用タレ付けスプーンの柄に寿司ネタのラストＰ１〜Ｐ７を直接印刷或いは印刷シールを張った例を羅列した平面説明図である。
【図６】（８）〜（ｎ）は本考案の実施例における寿司用タレ付けスプーンの柄に寿司ネタのラストＰ８〜Ｐｎを直接印刷或いは印刷シールを張った例を羅列した平面説明図である。
【図７】（１）と（２）は特許文献１で紹介の寿司挟み具を示す斜視説明図である。
【図８】特許文献２で紹介の醤油入れ容器の縦断面図を示す
【考案を実施するための態様】
【００１１】  本考案の寿司用タレ付けスプーンの実施態様は、図１〜図６に示す実施例により詳細に説明する。
各実施例において、寿司用タレ付けスプーン１００，２００、３００、４００は、木製、竹製、アルミ製等の金属製、またはプラスチックなどの合成樹脂製等であり、タレ醤油掬部１０２、２０２、３０２、４０２はフラット面、凹湾曲面等の底部に成形し、しかもこの底部に粘性の高いタレ醤油をその表面張力や毛細管現象で一時止め置きする複数の細孔、網目、細スリット、フォーク等の透過隙間を形成し、この底幅は寿司ネタの幅に合わせた幅にしておくと便利である。
【実施例１】
【００１２】  実施例１の寿司用タレ付けスプーンは図１の（１）に示す。
図１（１）（２）において、寿司用タレ付けスプーン１００は、柄１０１の先部にタレ醤油掬部１０２を形成し、前記タレ醤油掬部１０２に複数の丸型、星型、花びら型、角型等の細孔１０３を設けた例である。
前記細孔１０３は直径１〜１．５ｍｍの細かい丸型の孔であり、通常、醤油掬部１０２に適量に掬ったタレ醤油は表面張力により透過流出させる事が無く、醤油掬部１０２の下面をつまり細孔１０３の下口を寿司ネタの上面に接触させることにより、細孔１０３の下口からタレ醤油が初めて寿司ネタ上面に適量透過流出して味付けするのである。醤油掬部１０２に残量があれば寿司ネタの上面から醤油掬部１０２の細孔１０３の下口面を離間するとタレ醤油の透過流出は確実に停止する。これで残量が無ければ細孔１０３部内に寿司ネタの臭いや細かなネタ屑の付着も殆どなく清潔感を保持するのである。
【実施例２】
【００１３】  実施例２の寿司用タレ付けスプーンは図２の（１）（２）に示す。
図２の（１）（２）において、寿司用タレ付けスプーン２００は柄２０１の先部に醤油掬部２０２を形成し、前記醤油掬部に複数の細長スリット２０３を設けた例である。
前記細長スリット２０３列の形成幅が寿司ネタの幅以内、一本のスリット長さが３．０〜４．５ｃｍ、スリット幅が０．７〜１ｍｍ、スリット間隔が３．０〜４．０ｍｍである。通常、醤油掬部２０２に適量に掬ったタレ醤油は表面張力により透過流出する事が無く、醤油掬部２０２の下面をつまり各本スリット２０３の下口を寿司ネタの上面に接触させることにより、スリットの下口からタレ醤油が初めて透過流出して寿司ネタの上面に付き味付けするのである。醤油掬部２０２に残量があれば寿司ネタの上面から醤油掬部２０２のスリットの下口面を離間するとタレ醤油の透過流出は確実に停止する。これで残量が無ければ細長スリット２０３部内に寿司ネタの臭いや細かなネタ屑の付着も殆どなく清潔感を保持するのである。
【実施例３】
【００１４】  実施例３の寿司用タレ付けスプーンは図３の（１）（２）に示す。
図３の（１）（２）において、寿司用タレ付けスプーン３００は柄３０１の先部に醤油掬部３０２を形成し、前記醤油掬部３０２に複数の細長フォーク３０３を設けた例である。
前記細長フォーク３０３は配列幅が寿司ネタの幅以内、一本の細長フォーク長さが３．０〜４．５ｃｍ、フォーク間の隙間が１〜１．５ｍｍ、フォーク配列間隔が５．０〜６．０ｍｍであり、通常、醤油掬部３０２に適量に掬ったタレ醤油は表面張力により透過流出する事が無く、醤油掬部３０２の下面をつまり各本フォーク３０３の隙間の下口を寿司ネタの上面に接触させることにより、フォークの隙間の下口からタレ醤油が初めて透過流出して寿司ネタの上面に付き浸透し味付けするのである。醤油掬部３０２に残量があれば寿司ネタの上面から醤油掬部３０２の細長フォーク３０３の隙間の下口面を離間するとタレ醤油の透過流出は確実に停止する。残量が無ければ細長フォーク３０３部内に寿司ネタの臭いや細かなネタ屑の付着も殆どなく清潔感を保持するのである。
【実施例４】
【００１５】  実施例４の寿司用タレ付けスプーンは図４の（１）（２）に示す。
図４の（１）（２）において、寿司用タレ付けスプーン４００は柄４０１の先部に醤油掬部４０２を形成し、前記醤油掬部４０２に網目部４０３を設けた例である。
前記網目部４０３は幅が寿司ネタの幅以内、網目の大きさは１．０〜２．０ｃｍ、網太さが直径１〜２ｍｍであり、通常、醤油掬部４０２に適量に掬ったタレ醤油は表面張力により網目部４０３から透過流出させる事が無く、醤油掬部４０２の下面を寿司ネタの上面に接触させることにより、網目部４０３の網目からタレ醤油が初めて寿司ネタの上面に透過流出して付き浸透し味付けするのである。醤油掬部４０２に残量があれば寿司ネタの上面から醤油掬部４０２の網目部４０３の網目の下口面を離間するとタレ醤油の透過流出は確実に停止する。残量が無ければ網目部４０３部内に寿司ネタの臭いや細かなネタ屑の付着も殆どなく清潔感を保持するのである。【００１６】  図５（１）〜（７）及び図６（８）〜（ｎ）は本考案の寿司用タレ付けスプーン５００の柄５０１の先の醤油掬部５０２に波形状の細長スリット５０３を形成し、柄５０１に寿司ネタの魚のイラストＰ１〜Ｐｎなどを直接印刷或いは印刷シールを張った例を羅列した平面説明図である。
このイラスト付きの寿司用タレ付けスプーン５００は、子供達も大人達もお寿司を食べる際、柄５０１のお魚のイラストを見て楽しんで寿司ネタにタレ醤油を付けて美味しく食べることが出来て、食欲増進にも繋がる。該イラストを日替わりの魚シリーズものにして寿司屋さんに置いてお持ち帰りできるようにすれば、より営業効果が抜群で集客効果が大いに期待されるアイテムである。
【産業上の利用可能性】
【００１７】  本考案の寿司用タレ付けスプーンは、前述した効果や実施例に記載したように優れた作用効果を呈するものであり、一般家庭への寄与は勿論のこと、寿司屋業界に貢献すること多大なものある。
【符号の説明】
【００１８】１００、２００，３００，４００，５００：寿司用タレ付けスプーン
１０１、２０１，３０１，４０１，５０１：柄
１０２、２０２，３０２，４０２，５０２：タレ醤油掬部
１０３：細孔
２０３：細長スリット
３０３：細長フォーク
４０３：網目部
５０３：波型スリット
Ｐ１〜Ｐｎ：寿司ネタの魚のイラスト
【図１】
0003225630.tif 000003
【図２】
0003225630.tif 000004
【図３】
0003225630.tif 000005
【図４】
0003225630.tif 000006
【図５】
0003225630.tif 000007
【図６】
0003225630.tif 000008
【図７】
0003225630.tif 000009
【図８】
0003225630.tif 000010